(57)【要約】【課題】ＩＰ網を介する電話の音質を確保するとともに、見なしファクシミリ通信のデータエラーを軽減する通信装置、通信プログラムを提供する。【解決手段】画像をファクシミリ送信する場合、当該ファクシミリ通信データがデータエラー等によって正常な通信を行えないようなことを軽減するため、ＶＯＩＰ  ＣｏｄｅｃがエコーキャンセラーおよびＰＬＣの機能を使用しないように設定する。即ち、見なしファクシミリ送信を行う際に設定切替部がエコーキャンセラーの機能を「ＯＦＦ」に、ＰＬＣの機能を「ＯＦＦ」に設定する。電話機を使用して音声通話を行う場合、音声通話の品質を高めるため、ＶＯＩＰ  ＣｏｄｅｃがエコーキャンセラーおよびＰＬＣの機能を使用するように設定する。即ち、音声通話を行う際に設定切替部がエコーキャンセラーの機能を「ＯＮ」に、ＰＬＣの機能を「ＯＦＦ」に設定する。【選択図】図１
2008187240.tif 000002
【特許請求の範囲】
【請求項１】
ＩＰ網を介して音声通信を行う音声通信手段と、
ＩＰ網を介してファクシミリ通信を行うファクシミリ通信手段と、
前記音声通信手段または前記ファクシミリ通信手段から入力される音声データをＩＰパケットに変換する変換手段と、
前記変換手段により変換されたＩＰパケットをＩＰ網に送信する送信手段と、
前記音声通信手段による音声送信時と前記ファクシミリ通信手段によるファクシミリ送信時とでは前記変換手段が有する通信条件に関する機能の設定を切り替える設定切替手段と
を具備することを特徴とする通信装置。
【請求項２】
前記設定切替手段は、
前記音声通信手段で前記音声送信を行う場合、前記変換手段が有する機能を有効に設定する
ことを特徴とする請求項１記載の通信装置。
【請求項３】
前記設定切替手段は、
前記ファクシミリ通信手段で前記ファクシミリ送信を行う場合、前記変換手段が有する機能を無効に設定する
ことを特徴とする請求項１記載の通信装置。
【請求項４】
ＩＰ網を介して音声通信を行う音声通信手段と、
ＩＰ網を介してファクシミリ通信を行うファクシミリ通信手段と、
ＩＰ網を経由して送られてくるＩＰパケットを受信する受信手段と、
前記受信手段で受信したＩＰパケットを前記音声通信手段または前記ファクシミリ通信手段に入力するための音声データに変換する変換手段と、
前記音声通信手段による音声受信時と前記ファクシミリ通信手段によるファクシミリ受信時とでは前記変換手段が有する通信条件に関する機能の設定を切り替える設定切替手段と
を具備することを特徴とする通信装置。
【請求項５】
前記設定切替手段は、
前記音声通信手段で前記音声受信を行う場合、前記変換手段が有する機能を有効に設定する
ことを特徴とする請求項４記載の通信装置。
【請求項６】
前記設定切替手段は、
前記ファクシミリ通信手段で前記ファクシミリ受信を行う場合、前記変換手段が有する機能を無効に設定する
ことを特徴とする請求項４記載の通信装置。
【請求項７】
前記設定切替手段は、
前記音声通信による着信か前記ファクシミリ通信による着信かの判断が不可能な場合、前記変換手段が有する機能を無効に設定する
ことを特徴とする請求項４記載の通信装置。
【請求項８】
ＩＰ網を介して音声通信を行う音声通信手段と、該ＩＰ網を介してファクシミリ通信を行うファクシミリ通信手段と、該音声通信手段またはファクシミリ通信手段から入力される音声データをＩＰパケットに変換する変換手段と、該変換手段により変換されたＩＰパケットをＩＰ網に送信する送信手段とを備えた通信装置に内蔵されたコンピュータに、
前記音声通信手段による音声送信時と前記ファクシミリ通信手段によるファクシミリ送信時とでは前記変換手段が有する通信条件に関する機能の設定を切り替える設定切替処理
を実行させることを特徴とする通信プログラム。
【請求項９】
前記設定切替処理は、
前記音声通信手段で前記音声送信を行う場合、前記変換手段が有する機能を有効に設定する
ことを特徴とする請求項８記載の通信プログラム。
【請求項１０】
前記設定切替処理は、
前記ファクシミリ通信手段で前記ファクシミリ送信を行う場合、前記変換手段が有する機能を無効に設定する
ことを特徴とする請求項８記載の通信プログラム。
【請求項１１】
ＩＰ網を介して音声通信を行う音声通信手段と、ＩＰ網を介してファクシミリ通信を行うファクシミリ通信手段と、ＩＰ網を経由して送られてくるＩＰパケットを受信する受信手段と、該受信手段で受信したＩＰパケットを該音声通信手段または該ファクシミリ通信手段に入力するための音声データに変換する変換手段とを備えた通信装置に内蔵されたコンピュータに、
前記音声通信手段による音声受信時と前記ファクシミリ通信手段によるファクシミリ受信時とでは前記変換手段が有する通信条件に関する機能の設定を切り替える設定切替処理
を実行させることを特徴とする通信プログラム。
【請求項１２】
前記設定切替処理は、
前記音声通信手段で前記音声受信を行う場合、前記変換手段が有する機能を有効に設定する
ことを特徴とする請求項１１記載の通信プログラム。
【請求項１３】
前記設定切替処理は、
前記ファクシミリ通信手段で前記ファクシミリ受信を行う場合、前記変換手段が有する機能を無効に設定する
ことを特徴とする請求項１１記載の通信プログラム。
【請求項１４】
前記設定切替処理は、
前記音声通信による着信か前記ファクシミリ通信による着信かの判断が不可能な場合、前記変換手段が有する機能を無効に設定する
ことを特徴とする請求項１１記載の通信プログラム。
【発明の詳細な説明】
【技術分野】
【０００１】
本発明は、通信装置、通信プログラムに関する。
【背景技術】
【０００２】
近年、インターネットの普及に伴って、通信事業者が管理するＩＰ（インターネットプロトコル）網が拡大し、最近では、ＩＰ網を用いて電話機による通話やファクシミリ装置による画像転送も行われるようになっている。
【０００３】
図７は、ＩＰ網を用いてファクシミリ通信を行う際の従来のネットワーク構成例を示した図である。
【０００４】
図７に示すように、ＩＰ網１０には、ＩＰ網対応ファクシミリ１１１、ＩＰ網対応ファクシミリ１１２が接続されており、他に、ＶｏＩＰアダプタ１２１を介して電話回線用ファクシミリ１３１と電話機１４１が接続されており、ＶｏＩＰアダプタ１２２を介して電話回線用ファクシミリ１３２と電話機１４２が接続されている。また、ＩＰ網１０には、サーバ１５が接続されている。
【０００５】
ＩＰ網対応ファクシミリ１１１（１１２）は、ＶｏＩＰ(Voice over Internet Protocol)機能若しくはＩＰ−ＦＡＸ(ITU-T T.38)機能を有し、直接、ＩＰ網１０に接続して画像転送を行うことができるものである。
【０００６】
ＶｏＩＰアダプタ１２１（１２２）は、ＶｏＩＰ機能により、電話用の音声信号（アナログ）をパケット化してＩＰ網１０に送出したり、ＩＰ網１０から受信したパケットを音声信号に変換したりする。したがって、電話回線用ファクシミリ１３１（１３２）や電話機１４１（１４２）は、ＶｏＩＰアダプタ１２１（１２２）を介してＩＰ網１０に接続されることとなる。
【０００７】
電話回線用ファクシミリ１３１（１３２）と電話機１４１（１４２）は、それぞれ、回線交換網向けのファクシミリと電話機である。
【０００８】
サーバ１５は、一般に、ＳＩＰ(Session Initiation Protocol)サーバやゲートキーパーと呼ばれるもので、ＩＰ網１０に接続されているＩＰ網対応ファクシミリ１１１等の各端末のＩＰアドレスと、電話番号とを関連付けたテーブル情報をもち、発信元から入力された受け手の電話番号をこのテーブルによりＩＰアドレスに変換し、受け手のＩＰアドレスを特定して発信元と受け手とを接続制御する役目を持つものである。
【０００９】
ただし、現状ではＩＰ網を使用したファクシミリ通信といっても、アナログＧ３信号をパケット変換した見なしファクシミリ通信が主流であり、ＩＰ網特有の問題である遅延、エコー等が発生することから、見なしファクシミリ通信を行う場合にはゲートウェイの性能や設定によって正常に行えないことがある。
【００１０】
例えば、音声信号やファクシミリ信号等をセル化して送受信するセル送受信制御方式に関し、エコー成分による無用なセルの送出を防止するセル送受信制御方式がある（例えば、特許文献１参照。）。
【特許文献１】特開平５−３０４５３５号公報
【発明の開示】
【発明が解決しようとする課題】
【００１１】
本発明は、ＩＰ網を介する電話の音質を確保するとともに、見なしファクシミリ通信のデータエラーを軽減する通信装置、通信プログラムを提供することを目的とする。
【課題を解決するための手段】
【００１２】
上記目的を達成するため、請求項１の発明は、ＩＰ網を介して音声通信を行う音声通信手段と、ＩＰ網を介してファクシミリ通信を行うファクシミリ通信手段と、前記音声通信手段または前記ファクシミリ通信手段から入力される音声データをＩＰパケットに変換する変換手段と、前記変換手段により変換されたＩＰパケットをＩＰ網に送信する送信手段と、前記音声通信手段による音声送信時と前記ファクシミリ通信手段によるファクシミリ送信時とでは前記変換手段が有する通信条件に関する機能の設定を切り替える設定切替手段とを具備することを特徴とする。
【００１３】
また、請求項２の発明は、請求項１の発明において、前記設定切替手段は、前記音声通信手段で前記音声送信を行う場合、前記変換手段が有する機能を有効に設定することを特徴とする。
【００１４】
また、請求項３の発明は、請求項１の発明において、前記設定切替手段は、前記ファクシミリ通信手段で前記ファクシミリ送信を行う場合、前記変換手段が有する機能を無効に設定することを特徴とする。
【００１５】
また、請求項４の発明は、ＩＰ網を介して音声通信を行う音声通信手段と、ＩＰ網を介してファクシミリ通信を行うファクシミリ通信手段と、ＩＰ網を経由して送られてくるＩＰパケットを受信する受信手段と、前記受信手段で受信したＩＰパケットを前記音声通信手段または前記ファクシミリ通信手段に入力するための音声データに変換する変換手段と、前記音声通信手段による音声受信時と前記ファクシミリ通信手段によるファクシミリ受信時とでは前記変換手段が有する通信条件に関する機能の設定を切り替える設定切替手段とを具備することを特徴とする。
【００１６】
また、請求項５の発明は、請求項４の発明において、前記設定切替手段は、前記音声通信手段で前記音声受信を行う場合、前記変換手段が有する機能を有効に設定することを特徴とする。
【００１７】
また、請求項６の発明は、請求項４の発明において、前記設定切替手段は、前記ファクシミリ通信手段で前記ファクシミリ受信を行う場合、前記変換手段が有する機能を無効に設定することを特徴とする。
【００１８】
また、請求項７の発明は、請求項４の発明において、前記設定切替手段は、前記音声通信による着信か前記ファクシミリ通信による着信かの判断が不可能な場合、前記変換手段が有する機能を無効に設定することを特徴とする。
【００１９】
また、請求項８の発明は、ＩＰ網を介して音声通信を行う音声通信手段と、該ＩＰ網を介してファクシミリ通信を行うファクシミリ通信手段と、該音声通信手段またはファクシミリ通信手段から入力される音声データをＩＰパケットに変換する変換手段と、該変換手段により変換されたＩＰパケットをＩＰ網に送信する送信手段とを備えた通信装置に内蔵されたコンピュータに、前記音声通信手段による音声送信時と前記ファクシミリ通信手段によるファクシミリ送信時とでは前記変換手段が有する通信条件に関する機能の設定を切り替える設定切替処理を実行させることを特徴とする。
【００２０】
また、請求項９の発明は、請求項８の発明において、前記設定切替処理は、前記音声通信手段で前記音声送信を行う場合、前記変換手段が有する機能を有効に設定することを特徴とする。
【００２１】
また、請求項１０の発明は、請求項８の発明において、前記設定切替処理は、前記ファクシミリ通信手段で前記ファクシミリ送信を行う場合、前記変換手段が有する機能を無効に設定することを特徴とする。
【００２２】
また、請求項１１の発明は、ＩＰ網を介して音声通信を行う音声通信手段と、ＩＰ網を介してファクシミリ通信を行うファクシミリ通信手段と、ＩＰ網を経由して送られてくるＩＰパケットを受信する受信手段と、該受信手段で受信したＩＰパケットを該音声通信手段または該ファクシミリ通信手段に入力するための音声データに変換する変換手段とを備えた通信装置に内蔵されたコンピュータに、前記音声通信手段による音声受信時と前記ファクシミリ通信手段によるファクシミリ受信時とでは前記変換手段が有する通信条件に関する機能の設定を切り替える設定切替処理を実行させることを特徴とする。
【００２３】
また、請求項１２の発明は、請求項１１の発明において、前記設定切替処理は、前記音声通信手段で前記音声受信を行う場合、前記変換手段が有する機能を有効に設定することを特徴とする。
【００２４】
また、請求項１３の発明は、請求項１１の発明において、前記設定切替処理は、前記ファクシミリ通信手段で前記ファクシミリ受信を行う場合、前記変換手段が有する機能を無効に設定することを特徴とする。
【００２５】
また、請求項１４の発明は、請求項１１の発明において、前記設定切替処理は、前記音声通信による着信か前記ファクシミリ通信による着信かの判断が不可能な場合、前記変換手段が有する機能を無効に設定することを特徴とする。
【発明の効果】
【００２６】
請求項１および８に記載の発明は、本構成を有しない場合に比較して、送信時において通信の種類に応じてＶＯＩＰ  Ｃｏｄｅｃの機能を切り替えることが可能となる。
【００２７】
また、請求項２および９に記載の発明は、本構成を有しない場合に比較して、送信時における音声通話の品質を高めることが可能となる。
【００２８】
また、請求項３および１０に記載の発明は、本構成を有しない場合に比較して、見なしファクシミリ通信での送信エラーを軽減することが可能となる。
【００２９】
また、請求項４および１１に記載の発明は、本構成を有しない場合に比較して、着信時において通信の種類に応じてＶＯＩＰ  Ｃｏｄｅｃの機能を切り替えることが可能となる。
【００３０】
また、請求項５および１２に記載の発明は、本構成を有しない場合に比較して、着信時における音声通話の品質を高めることが可能となる。
【００３１】
また、請求項６および１３に記載の発明は、本構成を有しない場合に比較して、見なしファクシミリ通信での受信エラーを軽減することが可能となる。
【００３２】
また、請求項７および１４に記載の発明は、本構成を有しない場合に比較して、着信時に通信の種類が識別できなくても、通信の安定性を優先することが可能となる。
【発明を実施するための最良の形態】
【００３３】
以下、本発明に係る通信装置、通信プログラムの実施の形態について添付図面を参照して詳細に説明する。
【００３４】
図１は、本発明を適用した画像通信装置１の概略構成の一例を示すブロック図である。
【００３５】
図１に示すように、画像通信装置１は、マルチファンクションコントロール部２、プリンタモジュール部３、スキャナモジュール部４、ファクシミリモジュール部５、ゲートウェイ６、設定切替部９を具備して構成されている。また、画像通信装置１には、電話機７（または、ハンドセット）が接続され、電話機７による音声通話はファクシミリモジュール部５を経由して行われる。
【００３６】
マルチファンクションコントロール部２は、各モジュール部を効率良く制御するとともに、ネットワークプリント機能、ネットワークスキャナ機能およびスキャナモジュール部３で読み取った画像を電子メールに添付して送信する機能（即ち、電子メール送信機能）を制御する。
【００３７】
スキャナモジュール部３は、原稿を光学的に読み取り、読み取った画像はＨＤ等の記憶領域（不図示）に蓄積される。
【００３８】
プリンタモジュール部４は、ＨＤ等の記憶領域（不図示）に蓄積された画像（例えば、ネットワークプリント機能によって受け付けた画像、スキャナモジュール部３で読み取った画像、ファクシミリ通信で受信した画像等）を用紙に印刷する。
【００３９】
ゲートウェイ６は、ファクシミリモジュール部４とＩＰ網とを接続し、非圧縮の音声データから符号化されたデータに変換し、符号化されたデータから非圧縮の音声データを復元するＶＯＩＰ  Ｃｏｄｅｃ８を有している。なお、ＶＯＩＰ  Ｃｏｄｅｃ８は画像通信装置１の外部にゲートウェイ部６単体として設置する構成も適用可能である。
【００４０】
ファクシミリモジュール部５は、インターネット、イントラネット等のデジタル通信網（以後、ＩＰもうと称する）を経由して行うアナログＧ３信号をパケット変換した見なしファクシミリ（ＩＴＵ−Ｔ勧告Ｔ．３０）通信を行う。
【００４１】
設定切替部９は、画像通信装置１で行われる通信の種類（音声通話、見なしファクシミリ通信）によってＶＯＩＰ  Ｃｏｄｅｃ８が有する通信条件に関する機能（例えば、エコーキャンセラー、ＰＬＣ［Packet Loss Concealment］等）の設定の切り替えを行う。なお、着信時では、通信の種類の判断が可能な場合は設定の切り替えを行い、また、通信の種類の判断が不可能な場合は見なしファクシミリ通信に応じた設定に切り替える。
【００４２】
なお、上述した設定切替部９を機能として具備するプログラム（本発明に係る通信プログラムに相当）を汎用の画像通信装置に組み込んだ構成を適用することも可能であり、その際には、画像通信装置の記憶領域（例えば、ＨＤ等）に通信プログラムが記憶され、画像通信装置の演算部（例えば、画像通信装置のＣＰＵ等）が記憶領域に記憶されている通信プログラムを実行することになる。
【００４３】
図２は、見なしファクシミリ送信を行う場合の画像通信装置１の動作の流れの一例を示す図である。
【００４４】
図２に示すように、スキャナモジュール部３で読み取った画像をファクシミリ送信する場合、スキャナモジュール部３で原稿を読み取り、読み取った画像をファクシミリモジュール部５がファクシミリ送信する。この時、ファクシミリモジュール部５から出力されたファクシミリ通信データ（即ち、非圧縮の音声データ）はＶＯＩＰ  Ｃｏｄｅｃ８によって符号化されたデータに変換され、ＩＰ網を介して当該画像が相手先に送信される。
【００４５】
ＶＯＩＰ  Ｃｏｄｅｃ８がファクシミリ通信データを符号化処理する際に、当該ファクシミリ通信データがデータエラー等によって異常通信の発生を軽減するため、ＶＯＩＰ  Ｃｏｄｅｃ８がエコーキャンセラーおよびＰＬＣの機能を使用しないように設定する。即ち、見なしファクシミリ送信を行う際に設定切替部９がエコーキャンセラーの機能を「ＯＦＦ」に、ＰＬＣの機能を「ＯＦＦ」に設定することで、ＶＯＩＰ  Ｃｏｄｅｃ８での処理によるデータエラーを排除し、コーデック処理時間も短縮し、遅延時間も少なくなる。
【００４６】
図３は、音声通話による発信処理を行う場合の画像通信装置１の動作の流れの一例を示す図である。
【００４７】
図３に示すように、電話機７を使用して音声通話による発信を行う場合、電話機７で受けた音声はＶＯＩＰ  Ｃｏｄｅｃ８によって符号化されたデータに変換され、ＩＰ網を介して相手先に送信される。
【００４８】
ＶＯＩＰ  Ｃｏｄｅｃ８が音声を符号化処理する際に、音声通話の品質を高めるため、ＶＯＩＰ  Ｃｏｄｅｃ８がエコーキャンセラーおよびＰＬＣの機能を使用するように設定する。即ち、音声通話を行う際に設定切替部９がエコーキャンセラーの機能を「ＯＮ」に、ＰＬＣの機能を「ＯＮ」に設定することで、音声通話の品質を高めることができる。
【００４９】
図４は、見なしファクシミリ受信を行う場合の画像通信装置１の動作の流れの一例を示す図である。
【００５０】
図４に示すように、ＩＰ網を介して相手先からの画像を見なしファクシミリ受信する場合、受信したデータ（即ち、符号化されたデータ）はＶＯＩＰ  Ｃｏｄｅｃ８によってファクシミリ通信データ（即ち、非圧縮の音声データ）に変換され、当該ファクシミリ通信データをファクシミリモジュール部５が入力（即ち、ファクシミリ受信）し、ファクシミリモジュール部５から出力された画像をプリンタモジュール部が印刷する。
【００５１】
ＶＯＩＰ  Ｃｏｄｅｃ８が受信したデータをファクシミリ通信データに復号化処理する際に、当該ファクシミリ通信データがデータエラー等によって異常通信の発生を軽減するため、ＶＯＩＰ  Ｃｏｄｅｃ８がエコーキャンセラーおよびＰＬＣの機能を使用しないように設定する。即ち、見なしファクシミリ送信を行う際に設定切替部９がエコーキャンセラーの機能を「ＯＦＦ」に、ＰＬＣの機能を「ＯＦＦ」に設定することで、ＶＯＩＰ  Ｃｏｄｅｃ８での処理によるデータエラーを排除し、コーデック処理時間も短縮し、遅延時間も少なくなる。なお、見なしファクシミリ受信する際に当該見なしファクシミリ受信であると判断できない場合、設定切替部９はエコーキャンセラーの機能を「ＯＦＦ」に、ＰＬＣの機能を「ＯＦＦ」に設定することで、通信の安定性を優先する。
【００５２】
図５は、音声通話による着信処理を行う場合の画像通信装置１の動作の流れの一例を示す図である。
【００５３】
図５に示すように、ＩＰ網を介して相手先から音声通話による着信を行う場合、受信したデータ（即ち、符号化されたデータ）はＶＯＩＰ  Ｃｏｄｅｃ８によって音声に変換され、電話機７のスピーカーから当該音声が発せられる。
【００５４】
ＶＯＩＰ  Ｃｏｄｅｃ８が受信したデータを音声に復号化処理する際に、音声通話の品質を高めるため、ＶＯＩＰ  Ｃｏｄｅｃ８がエコーキャンセラーおよびＰＬＣの機能を使用するように設定する。即ち、音声通話を行う際に設定切替部９がエコーキャンセラーの機能を「ＯＮ」に、ＰＬＣの機能を「ＯＮ」に設定することで、音声通話の品質を高めることができる。なお、音声通話による着信処理を行う際に当該音声通話による着信処理であると判断できない場合、設定切替部９はエコーキャンセラーの機能を「ＯＦＦ」に、ＰＬＣの機能を「ＯＦＦ」に設定することで、通信の安定性を優先する。
【００５５】
次に、画像通信装置が行うＶＯＩＰ  Ｃｏｄｅｃの設定の切替の処理手順について図４に示すフローチャートを参照して説明する。なお、本実施例では、見なしファクシミリ通信の安定性を重視するため、ＶＯＩＰ  Ｃｏｄｅｃの基本設定は見なしファクシミリ通信を行う際の設定（即ち、エコーキャンセラーの機能が「ＯＦＦ」、ＰＬＣの機能が「ＯＦＦ」）となっている。
【００５６】
ＶＯＩＰ  Ｃｏｄｅｃのエコーキャンセラーの機能が「ＯＦＦ」、ＰＬＣの機能が「ＯＦＦ」に設定されており（Ｓ４０１）、画像通信装置において送信処理（音声通話の発信処理の場合はハンドセットが上がった等、ファクシミリ送信処理の場合はスキャナモジュール部で原稿の読み込みが開始した等）が発生した場合（Ｓ４０２でＮＯ）、Ｓ４０３に進み、また、画像通信装置において着信処理が発生した場合（Ｓ４０２でＹＥＳ）、Ｓ４０９に進む。
【００５７】
画像通信装置において送信処理が発生した場合（Ｓ４０２でＮＯ）、発生した送信処理が音声通話の発信処理であるかファクシミリ送信処理であるか識別し（Ｓ４０３）、音声通話の発信処理の場合（Ｓ４０３でＮＯ）、Ｓ４０４に進み、また、ファクシミリ送信処理の場合（Ｓ４０３でＹＥＳ）、Ｓ４０８に進む。
【００５８】
音声通話の発信処理の場合（Ｓ４０３でＮＯ）、設定切替部はＶＯＩＰ  Ｃｏｄｅｃのエコーキャンセラーの機能を「ＯＮ」、ＰＬＣの機能を「ＯＮ」に設定し（Ｓ４０４）、音声通話を実施し（Ｓ４０５）、音声通話が終了すると（Ｓ４０６でＹＥＳ）、設定切替部はＶＯＩＰ  Ｃｏｄｅｃのエコーキャンセラーの機能を「ＯＦＦ」、ＰＬＣの機能を「ＯＦＦ」に設定し（Ｓ４０７）、処理手順を終了する。
【００５９】
また、ファクシミリ送信処理の場合（Ｓ４０３でＹＥＳ）、ＶＯＩＰ  Ｃｏｄｅｃのエコーキャンセラーの機能が「ＯＦＦ」、ＰＬＣの機能が「ＯＦＦ」のままでファクシミリ通信を実施し（Ｓ４０８）、処理手順を終了する。
【００６０】
また、Ｓ４０２において、画像通信装置において着信処理が発生した場合（Ｓ４０２でＹＥＳ）、発生した着信処理の種類（音声通話の着信処理か、ファクシミリ受信処理か）を識別できるか否か確認し（Ｓ４０９）、識別が不可能な場合（Ｓ４０９でＮＯ）、Ｓ４１０に進み、また、識別が可能な場合（Ｓ４０９でＹＥＳ）、Ｓ４１１に進む。
【００６１】
識別が不可能な場合（Ｓ４０９でＮＯ）、ＶＯＩＰ  Ｃｏｄｅｃのエコーキャンセラーの機能が「ＯＦＦ」、ＰＬＣの機能が「ＯＦＦ」のままで音声通信またはファクシミリ受信を実施し（Ｓ４１０）、処理手順を終了する。
【００６２】
また、識別が可能な場合（Ｓ４０９でＹＥＳ）、着信処理が音声通話の着信処理であるかファクシミリ受信処理であるか識別し（Ｓ４１１）、音声通話の着信処理の場合（Ｓ４１１でＮＯ）、Ｓ４１２に進み、また、ファクシミリ受信処理の場合（Ｓ４１１でＹＥＳ）、Ｓ４０８に進む。
【００６３】
音声通話の着信処理の場合（Ｓ４１１でＮＯ）、設定切替部はＶＯＩＰ  Ｃｏｄｅｃのエコーキャンセラーの機能を「ＯＮ」、ＰＬＣの機能を「ＯＮ」に設定し（Ｓ４１２）、音声通話を実施し（Ｓ４１３）、音声通話が終了すると（Ｓ４１４でＹＥＳ）、設定切替部はＶＯＩＰ  Ｃｏｄｅｃのエコーキャンセラーの機能を「ＯＦＦ」、ＰＬＣの機能を「ＯＦＦ」に設定し（Ｓ４１５）、処理手順を終了する。
【００６４】
また、ファクシミリ受信処理の場合（Ｓ４１１でＹＥＳ）、ＶＯＩＰ  Ｃｏｄｅｃのエコーキャンセラーの機能が「ＯＦＦ」、ＰＬＣの機能が「ＯＦＦ」のままでファクシミリ通信を実施し（Ｓ４０８）、処理手順を終了する。
【００６５】
なお、ＶＯＩＰ  Ｃｏｄｅｃ８の設定の切り替えは手動によりユーザが行うことも可能である。
【図面の簡単な説明】
【００６６】
【図１】本発明を適用した画像通信装置の概略構成の一例を示すブロック図である。
【図２】見なしファクシミリ送信を行う場合の画像通信装置の動作の流れの一例を示す図である。
【図３】音声通話を行う場合の画像通信装置の動作の流れの一例を示す図である。
【図４】見なしファクシミリ受信を行う場合の画像通信装置の動作の流れの一例を示す図である。
【図５】音声通話による着信処理を行う場合の画像通信装置の動作の流れの一例を示す図である。
【図６】画像通信装置が行うＶＯＩＰ  Ｃｏｄｅｃの設定の切替の処理手順を示すフローチャートである。
【図７】ＩＰ網を用いてファクシミリ通信を行う際の従来のネットワーク構成例を示した図である。
【符号の説明】
【００６７】
１    画像通信装置
２    マルチファンクションコントロール部
３    スキャナモジュール部
４    プリンタモジュール部
５    ファクシミリモジュール部
６    ゲートウェイ
７    電話機
８    ＶＯＩＰ  Ｃｏｄｅｃ
９    設定切替部
１０    ＩＰ網
１１１、１１２    ＩＰ網対応ファクシミリ
１２１、１２２    ＶＯＩＰアダプタ
１３１、１３２    電話回線用ファクシミリ
１４１、１４２    電話機
１５    サーバ
【図１】
2008187240.tif 000003
【図２】
2008187240.tif 000004
【図３】
2008187240.tif 000005
【図４】
2008187240.tif 000006
【図５】
2008187240.tif 000007
【図６】
2008187240.tif 000008
【図７】
2008187240.tif 000009